(57)【要約】【課題】複数の集塵装置５を備えた大風量の管理庫に関するもので、管理体２が外気に含まれる塵埃の影響を受けにくく、適切な管理が行えるようにすることを目的とする。【解決手段】本体ケース６内の吸気口８と排気口９間に配置した塵埃旋回分離手段１０と、送風機１２とを備え、塵埃旋回分離手段１０は、通過させた空気から塵埃を分離し、前記塵埃を貯留部２８に溜める構成を備え、貯留部２８には、この貯留部２８に溜めた塵埃を、本体ケース６外に排出させる排出口２９を設けた集塵装置５において、本体ケース６は、天面部２１と側面部２２と、吸気口８を設けた前面部７を有し、前面部７が接する稜のうち少なくとも天面部２１と前面部７に挟まれた稜には天面部２１よりも上方へ突出する仕切り壁２３が形成された集塵装置５であり、管理体２が塵埃の影響を受けにくく、適切な管理が行える。【選択図】図２
2017029872.tif 000002
【特許請求の範囲】
【請求項１】
吸気口と排気口を有する本体ケースと、この本体ケース内の前記吸気口と排気口間に配置した塵埃旋回分離手段と、前記吸気口から吸い込んだ空気を、前記塵埃旋回分離手段を通過させ、前記排気口を介して本体ケース外に排出する送風機とを備え、前記塵埃旋回分離手段は、通過させた空気から塵埃を分離し、前記塵埃を貯留部に溜める構成を備え、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続した集塵装置において、前記本体ケースは、天面部と底面部と側面部と、前記吸気口を設けた前面部とを有し、前記前面部が接する稜のうち少なくとも前記天面部と前記前面部に挟まれた稜には、前記天面部よりも上方へ突出する仕切り壁が形成された集塵装置。
【請求項２】
天面部は中央から両側の側面部に向けて下り勾配の傾斜を備えたことを特徴とする請求項１記載の集塵装置。
【請求項３】
請求項１または２記載の集塵装置を複数備え、第１の集塵装置と第２の集塵装置の側面部が、上下方向に直線状に配列している管理庫。
【請求項４】
第１の集塵装置および第２の集塵装置が、管理ボックスの室内側から着脱可能であることを特徴とする請求項１から３いずれか一つに記載の管理庫。
【発明の詳細な説明】
【技術分野】
【０００１】
本発明は、塵埃旋回分離手段を備えた集塵装置と、それを備えた管理庫に関するものである。
【背景技術】
【０００２】
例えば、管理ボックスの内部に、発熱をともなう電子機器を収納する管理庫では、管理ボックスに、換気吸気口と換気排気口を設け、送風機によって、管理ボックス外の空気をこの管理ボックス内に導入し、これによって前記電子機器の冷却を行い、その後、暖気を前記換気排気口から管理ボックス外に排出させるようにしている（これに類似する先行文献としては、例えば下記特許文献１が存在する）。
【先行技術文献】
【特許文献】
【０００３】
【特許文献１】特開２００４−２６００５５号公報
【発明の概要】
【発明が解決しようとする課題】
【０００４】
上記従来例においては、管理ボックス外の空気をこの管理ボックス内に導入することで電子機器の冷却を行うことができるが、管理ボックス外の空気には塵埃が含まれているので、電子機器などの管理体の管理という観点では不適切なものであった。
【０００５】
例えば、電子機器が、塵埃で汚れたり、目詰まりを起こしたり、各種動作不良を起こしたりすることがある。また、近年電子機器の発熱量は増大傾向であり、大規模なサーバー設備では大量の冷却空気が必要となっている。大量の空気を吸引することで、さらに塵埃の汚れはひどいものとなるという課題があった。
【０００６】
そこで、本発明は、大風量の冷却空気が必要な管理ボックスにおいて、管理体の管理が適切に行えるようにすることを目的とするものである。すなわち、管理体の目視による管理の頻度を低くすることを目的とするものである。
【課題を解決するための手段】
【０００７】
そして、この目的を達成するために本発明は、吸気口と排気口を有する本体ケースと、この本体ケース内の前記吸気口と排気口間に配置した塵埃旋回分離手段と、前記吸気口から吸い込んだ空気を、前記塵埃旋回分離手段を通過させ、前記排気口を介して本体ケース外に排出する送風機とを備え、前記塵埃旋回分離手段は、通過させた空気から塵埃を分離し、前記塵埃を貯留部に溜める構成を備え、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続した集塵装置において、前記本体ケースは、天面部と底面部と側面部と、前記吸気口を設けた前面部とを有し、前記前面部が接する稜のうち少なくとも前記天面部と前記前面部に挟まれた稜には前記天面部よりも上方へ突出する仕切り壁が形成された集塵装置としたものであり、これにより所期の目的を達成するものである。
【発明の効果】
【０００８】
本発明は、吸気口と排気口を有する本体ケースと、この本体ケース内の前記吸気口と排気口間に配置した塵埃旋回分離手段と、前記吸気口から吸い込んだ空気を、前記塵埃旋回分離手段を通過させ、前記排気口を介して本体ケース外に排出する送風機とを備え、前記塵埃旋回分離手段は、通過させた空気から塵埃を分離し、前記塵埃を貯留部に溜める構成を備え、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続した集塵装置において、前記本体ケースは、天面部と底面部と側面部と、前記吸気口を設けた前面部とを有し、前記前面部が接する稜のうち少なくとも前記天面部と前記前面部に挟まれた稜には前記天面部よりも上方へ突出する仕切り壁が形成された集塵装置であり、管理体の目視による管理の頻度を低くすることができる。
【０００９】
また、本発明では、送風機によって供給された本体ケース外の空気から塵埃を、塵埃旋回分離手段によって分離し、その後、排気口を介して本体ケース外に排出する構成の集塵装置を複数備えて、より大量の空気を吸引しても管理体が塵埃の影響を受けにくくなるとともに、管理体の目視による管理の頻度を低くすることもできる。
【００１０】
また、本発明においては、塵埃旋回分離手段によって分離された塵埃は、貯留部に溜められ、モータによって蓋を開放動作させることで、貯留部外に排出することが出来るので複数の集塵装置を設置した場合、上方に位置する第１の集塵装置から排出された塵埃が、下方に位置する第２の集塵装置の天面部に落下して側面部に移動し、次に第２の集塵装置の側面部に沿って下方へ滑落させることができるため、第１の集塵装置から排出した塵埃が第２の集塵装置に吸い込まれて集塵性能が低下することも防止できる。
【図面の簡単な説明】
【００１１】
【図１】本発明の実施の形態１にかかる複数の集塵装置を設置した管理庫を示す図
【図２】同集塵装置単体の斜視図
【図３】同集塵装置単体の平面図
【図４】同集塵装置単体の縦断面図
【図５】同集塵装置単体の正面図
【図６】同集塵装置の塵埃旋回分離手段の前面側の斜視図
【図７】同集塵装置の塵埃旋回分離手段の断面図
【図８】同集塵装置の塵埃旋回分離手段の一部の斜視図
【図９】同集塵装置の塵埃旋回分離手段の一部の断面図
【図１０】同集塵装置の塵埃旋回分離手段の一部の斜視図
【図１１】同集塵装置の制御ブロック図
【図１２】同集塵装置の動作フローチャート
【図１３】同集塵装置を複数取り付けた管理庫の前面側の斜視図
【図１４】同集塵装置の前面下方側からの斜視図（（ａ）排出口を閉止した状態を示す図、（ｂ）開放した状態を示す図）
【図１５】同集塵装置を複数取り付けた管理庫の背面側の斜視図
【図１６】管理庫の支柱と集塵装置接続部の拡大図
【発明を実施するための形態】
【００１２】
本発明の請求項１記載の集塵装置は、吸気口と排気口を有する本体ケースと、この本体ケース内の前記吸気口と排気口間に配置した塵埃旋回分離手段と、前記吸気口から吸い込んだ空気を、前記塵埃旋回分離手段を通過させ、前記排気口を介して本体ケース外に排出する送風機とを備え、前記塵埃旋回分離手段は、通過させた空気から塵埃を分離し、前記塵埃を貯留部に溜める構成を備え、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続した集塵装置において、前記本体ケースは、天面部と底面部と側面部と、前記吸気口を設けた前面部とを有し、前記前面部が接する稜のうち少なくとも前記天面部と前記前面部に挟まれた稜には前記天面部よりも上方へ突出する仕切り壁が形成された集塵装置としたものである。
【００１３】
これにより、集塵装置の天面部に塵埃が付着・堆積したときにも、前記天面部と前記前面部に挟まれた稜には前記天面部よりも上方へ突出する仕切り壁が形成されているため、塵埃が前面部から集塵装置に吸込まれることがなく、集塵装置の内部が過剰に汚れにくく、集塵性能が低下しにくいという効果を得る事が出来る。また、雨天時に、雨水を天面部から側面部に滑らかに導くことができる。これにより、雨水が前面部から吸気口に向かって流れることによって発生する雨筋が、汚れとなって吸気口に付着し、前面部の美観を損ねることを防止できる。
【００１４】
また、集塵装置は、天面部は中央から両側の側面部に向けて下り勾配の傾斜を備えたものである。
【００１５】
これにより、塵埃が重力によって下方に移動しやすくなるため、さらに集塵装置の内部が過剰に汚れにくく、集塵性能が低下しにくいという効果を得る事が出来る。また、雨天時に、雨水を天面部から側面部に滑らかに導くことができ、天面部に溜まった塵埃を洗い流して側面部から下方に導くことができる。
【００１６】
また、本発明の管理庫は、集塵装置を複数備え、第１の集塵装置と第２の集塵装置の側面部が、上下方向に直線状に配列しているものある。
【００１７】
これにより、複数の集塵装置を管理庫の一側面に並列に配置することによって、設置面積を小さくし、配線施工やメンテナンスなどが同じ場所で作業できるようになり、管理の手間を省力化することができる。また、複数の集塵装置を垂直方向に並列配置することで、発熱体である管理体に対して、上下むらなく送風して冷却を行うことができる。また、複数の集塵装置のうち、上方に位置する第１の集塵装置から排出された塵埃が、下方に位置する第２の集塵装置の天面部に落下しても、次に第２の集塵装置の側面部に沿って下方に移動するため、第１の集塵装置から排出された塵埃が第２の集塵装置に吸い込まれて集塵性能が低下することも防止できる。また、側面部の位置が揃っているので、側面部に導かれた塵埃が垂直下方に落下し、塵埃と側面部の接触確率が低下する結果、側面部が汚れにくくなるという効果を得ることができる。
【００１８】
また、管理庫は、第１の集塵装置および第２の集塵装置が、管理ボックスの室内側から着脱可能であるものである。
【００１９】
これにより、集塵装置を管理庫の一側面に並列に配置することによって、設置面積を小さくし、配線施工やメンテナンスなどが同じ場所で作業できるようになり、管理の手間を省力化することができる。また、管理ボックスが高所に設置された場合にも、室内側から安全に施工・メンテナンス作業を行うことができる。
【００２０】
以下、本発明の実施の形態について図面を参照しながら説明する。
【００２１】
（実施の形態１）
図１において、１は箱型の管理ボックスで、内部には、携帯電話の基地局やサーバー等の管理体２が収納されている。
【００２２】
この管理体２は通電により発熱をともなうので、本実施形態では、管理ボックス１外の空気を、換気吸気口３部分から管理ボックス１内に導入し、前記管理体２を冷却し、それによって暖気となった空気を換気排気口４から管理ボックス１外に排出することで、前記管理体２の冷却を行うようにしている。
【００２３】
本実施形態で特徴的なのは、管理ボックス１の換気吸気口３部分に複数の集塵装置５を設けたことである。
【００２４】
つまり、管理ボックス１外の空気に含まれる塵埃を、複数の集塵装置５によって取り除き、塵埃が取り除かれた大量の空気を管理ボックス１内に導入し、前記管理体２を冷却し、それによって暖気となった空気を換気排気口４から管理ボックス１外に排出することで、前記管理体２の冷却を行うようにしているのである。
【００２５】
前記集塵装置５は、図２に示すように、直方体形状（立方体形状でも良い）の本体ケース６を有し、その前面部７には長方形の吸気口８、背面側を長方形の排気口９としている。
【００２６】
図４は、図２のＡ−Ａ‘断面図である。本体ケース６内の前記吸気口８と排気口９間には、吸気口８から排気口９に向けて、順に、塵埃旋回分離手段１０、フィルター１１、送風機１２を配置している。
【００２７】
塵埃旋回分離手段１０は、図５〜図７に示すように、旋回流を形成するための円筒体１３を複数個縦方向に並べた円筒連結体１４、１５、１６、１７、１８、１９を備えている。図７は、図５のＢ−Ｂ‘断面図である。また、円筒連結体１４と１５間、円筒連結体１６と１７間、円筒連結体１８と１９間には、集塵通路２０を設けている。
【００２８】
図２、３に示すように、前面部７と天面部２１が接する稜（前面部７と天面部２１によって挟まれた稜とも言える）および、前面部７と側面部２２が接する稜（前面部７と側面部２２によって挟まれた稜とも言える）には、仕切り壁２３が設置されている。なお、仕切り壁２３は、前面部７と天面部２１が接する稜の位置に完全に一致している必要はなく、前面部７の上方延長面よりも背面側に後退した位置に、天面部２１の上部から突出する形で上方に伸びた板状の形状であってもよい。
【００２９】
また、仕切り壁２３は、管理ボックス１の壁面を伝わって集塵装置５の上方から落下してくる塵埃が吸気口８に入り込むことを防止するという点では、少なくともとも前面部７と天面部２１が接する稜に設置するものであれば良い。さらに、集塵装置５の側面部２２を伝わって下方へ移動する塵埃の侵入も防止するという点では、前述のように前面部７と側面部２２が接する稜にも設置することが最も良い。
【００３０】
各円筒連結体１４、１５、１６、１７，１８，１９を構成する円筒体１３は、図８に示すように、流入口２４から流入した空気を、旋回案内板２５によって旋回させ、この旋回により、空気中に含まれている塵埃を排出穴２６から集塵通路２０内に分離、排出し、塵埃が除かれた空気を流出口２７から図３のフィルター１１方向に流出させるようにしている。
【００３１】
具体的には、円筒連結体１４は図５の右側に排出穴２６が設けられ、この排出穴２６を介して右側の集塵通路２０に連通させている。
【００３２】
また、円筒連結体１５は図５の左側に排出穴２６が設けられ、この排出穴２６を介して左側の集塵通路２０に連通させている。
【００３３】
さらに、円筒連結体１６は図５の右側に排出穴２６が設けられ、この排出穴２６を介して右側の集塵通路２０に連通させている。
【００３４】
また、円筒連結体１７は図５の左側に排出穴２６が設けられ、この排出穴２６を介して左側の集塵通路２０に連通させている。
【００３５】
さらに、円筒連結体１８は図５の右側に排出穴２６が設けられ、この排出穴２６を介して右側の集塵通路２０に連通させている。
【００３６】
また、円筒連結体１９は図５の左側に排出穴２６が設けられ、この排出穴２６を介して左側の集塵通路２０に連通させている。
【００３７】
このような複数本の集塵通路２０の下部には、塵埃旋回分離手段１０によって分離された塵埃が下降し、蓄積される貯留部２８が設けられている。
【００３８】
また、この貯留部２８には、図９、図１０のごとく、この貯留部２８に溜めた塵埃を、前記本体ケース６下部もしくは底面部において、本体ケース６外に排出させる排出口２９と、この排出口２９を開閉自在に覆った蓋３０と、この蓋３０を、ギア３１を介して開閉駆動するモータ３２を設けている。
【００３９】
また、図１１に示すように、このモータ３２と前記送風機１２は、タイマ３３とともに、制御部３４に接続されている。
【００４０】
以上の構成において、送風機１２は常時通電された状態となっているので、管理ボックス１外の空気に含まれる塵埃を、集塵装置５によって取り除き、塵埃が取り除かれた空気を管理ボックス１内に導入し、前記管理体２を冷却し、それによって暖気となった空気を換気排気口４から管理ボックス１外に排出することとなり、この結果として、前記管理体２の冷却を行うことができる。
【００４１】
なお、管理ボックス１外の空気に含まれる塵埃の内、例えば１０ミクロン以上の大きな塵埃はこの塵埃旋回分離手段１０によって分離、除去することが出来るが、それよりも小さな塵埃の一部は塵埃旋回分離手段１０を通過してしまう虞があるので、そのような小さな塵埃はフィルター１１を介して管理ボックス１内に導入し、これで、前記管理体２を清浄な空気で冷却するようにしている。
【００４２】
そのような状態で、例えば、午前７時になると、タイマ３３がその時間を検出し（図１２のＳ１）、次に、制御部３４によって送風機１２への通電を停止し、送風機１２を停止し（図１１のＳ２）、その後、モータ３２を正回転させる（図１２のＳ３）。
【００４３】
その結果、排出口２９を開閉自在に覆った蓋３０が図９、図１０のように開放動作され、これにより、この貯留部２８に溜まった塵埃は、排出口２９から、自重により、前記本体ケース６外に排出される。
【００４４】
本実施の形態において、この排出口２９は管理ボックス１外に位置しているので、上記溜まった塵埃は、管理ボックス１外に排出されることとなる。
【００４５】
図１３は、図１の管理ボックス１の左側面に設置された複数の集塵装置５を手前上方から見た斜視図である。図１４は、図１を手前下方から見た斜視図である。図１３では、集塵装置５が、縦に３個、横に３個の合計９個設置されている。図１４（ａ）は蓋３０が閉止された状態であり、図１４（ｂ）は蓋３０が開放され、排出口２９から塵埃が管理ボックス１外に排出された状態である。
【００４６】
通常、集塵装置５は図１４（ａ）の状態で運転され、塵埃旋回分離手段１０で分離された塵埃は、貯留部２８に蓄積していく。貯留部２８に蓄積された塵埃は、タイマ３３の信号に従って、一定時間ごとに管理ボックス１外において蓋３０が開放され、図１４（ｂ）の状態になる。この時、例えば上部中央の集塵装置５から排出された塵埃は、中部中央の集塵装置５の天面部２１に落下し、左右に分かれて斜め下方に滑落する。滑落した塵埃は、図１３および図１４の一点破線矢印で示した集塵装置５の側面部２２に沿って下方に落下することになる。また、集塵装置５の天面部２１の前面部７に接する稜には仕切り壁２３が備えられているため、塵埃は吸気口８に吸込まれることなく、天面部２１を滑落していく。
【００４７】
このような構成にすることによって、複数の集塵装置５のうち、上方に位置する集塵装置５から排出された塵埃が、下方に位置する集塵装置５の天面部２１に接触し、次に集塵装置の側面部２２に沿って下方に移動するため、上方の集塵装置５から排出された塵埃が下方の集塵装置５に吸い込まれて集塵性能が低下することを防止できる。なお、本実施の形態では９個の集塵装置５を配置した例を記載したが、集塵装置５の設置数に特に制限はない。また、集塵装置５に大量の空気が吸引できれば、送風機１２の使用数に制限はない。つまり、集塵装置５に送風機１２を個別に備えず、例えば換気排気口４の周辺に大型の送風機を１個備えて、複数の集塵装置５から空気を吸引してもよい。
【００４８】
塵埃の排出後、例えば午前７時１０分になると（図１２のＳ４）、モータ３２を逆回転させ、蓋３０の閉成動作を行わせる（図１２のＳ５）。
【００４９】
その結果、排出口２９は蓋３０によって閉じられることとなる。
【００５０】
次に、制御部３４はモータ３２で蓋３０を開放動作後、所定時間後に、送風機１２を駆動し、再び、外気によって管理体２の冷却を行う（図１２のＳ６）。
【００５１】
なお、この実施形態では、管理体２が例えば、携帯通信機の基地局などのように、山中などの遠隔地に設置されるもので、上述した貯留部２８に溜まった塵埃を、排出口２９から、前記本体ケース６外に排出しても、近隣への迷惑をかけることは無い。
【００５２】
それよりも、このように貯留部２８に溜まった塵埃を、排出口２９から、前記本体ケース６外に自動的に排出できることは、遠隔地で、メンテナンスが困難な地域に管理体２が設置されている状況では、極めて利便性の高いものと成る。すなわち、管理体の目視による管理の頻度を低くすることもできる。
【００５３】
図１５は、図１３を管理ボックス１の室内側から見た斜視図である。図１５においては、集塵装置５を施工・メンテナンスする際に、着脱した様子を示している。つまり、全体として９個必要な集塵装置５のうち、５個を取り外した状態である。
【００５４】
図１６は、図１５の集塵装置５と支柱３５が接合されているＤ部を示す拡大図である。集塵装置５は、本体ケース６の厚み方向を二分するように外周に穴３７を備えたフランジ３８を設けている。これにより、集塵装置５は、支柱３５で囲われる空間に、本体ケース６を、室内側から支柱３５に挿入するように設置することができる。支柱３５に挿入された集塵装置５は、支柱３５に備えられた突起３６に穴３７を通すことで位置決めされ、図示しないボルト等で支柱３５に固定することができる。このように、集塵装置を管理庫の一側面に並列に配置することによって、設置面積を小さくし、配線施工やメンテナンスなどが同じ場所で作業できるようになり、管理の手間を省力化することができる。また、管理ボックスが高所に設置された場合にも、室内側から安全に作業を行うことができる。
【産業上の利用可能性】
【００５５】
以上のように本発明は、集塵装置の天面部に塵埃が付着・堆積したときにも、前記天面部と前記前面部に挟まれた稜には前記天面部よりも上方へ突出する仕切り壁が形成されているため、塵埃が前面部から集塵装置に吸込まれることがなく、集塵装置の内部が過剰に汚れにくく、集塵性能が低下しにくい集塵装置を得る事が出来る。
【００５６】
また、送風機によって供給された本体ケース外の空気から塵埃を、塵埃旋回分離手段によって分離し、その後、排気口を介して本体ケース外に排出する構成の集塵装置を複数備えたので、大量の空気を吸引しても管理体が塵埃の影響を受けにくく、適切な管理が行えるようになる。また、設置面積を小さくし、配線施工やメンテナンスなどが同じ場所で作業できるようになり、管理の手間を省力化することができる。
【００５７】
したがって、各種管理体の冷却を行う集塵装置として活用することが期待される。
【符号の説明】
【００５８】
１  管理ボックス
２  管理体
３  換気吸気口
４  換気排気口
５  集塵装置
６  本体ケース
７  前面部
８  吸気口
９  排気口
１０  塵埃旋回分離手段
１１  フィルター
１２  送風機
１３  円筒体
１４  円筒連結体
１５  円筒連結体
１６  円筒連結体
１７  円筒連結体
１８  円筒連結体
１９  円筒連結体
２０  集塵通路
２１  天面部
２２  側面部
２３  仕切り壁
２４  流入口
２５  旋回案内板
２６  排出穴
２７  流出口
２８  貯留部
２９  排出口
３０  蓋
３１  ギア
３２  モータ
３３  タイマ
３４  制御部
３５  支柱
３６  突起
３７  穴
３８  フランジ
【図１】
2017029872.tif 000003
【図２】
2017029872.tif 000004
【図３】
2017029872.tif 000005
【図４】
2017029872.tif 000006
【図５】
2017029872.tif 000007
【図６】
2017029872.tif 000008
【図７】
2017029872.tif 000009
【図８】
2017029872.tif 000010
【図９】
2017029872.tif 000011
【図１０】
2017029872.tif 000012
【図１１】
2017029872.tif 000013
【図１２】
2017029872.tif 000014
【図１３】
2017029872.tif 000015
【図１４】
2017029872.tif 000016
【図１５】
2017029872.tif 000017
【図１６】
2017029872.tif 000018